(57)【特許請求の範囲】
【請求項１】
１フレームを複数のサブフィールドに時分割し、入力映像信号の輝度レベルに対応したサブフィールドを発光して多階調画像を表示するディスプレイ装置において、前記入力映像信号に基づいて１又は複数フレーム間における画素の動きベクトルを検出し、この検出した動きベクトルの大きさが設定値Ｓより大きいか否かに応じて、前記入力映像信号を急速動画補正手段で補正した信号と前記入力映像信号を緩速動画補正手段で補正した信号とを切り替えて前記ディスプレイ装置へ出力してなり、前記１フレームは、輝度の相対比が２の（ｎ−１）乗（ｎは２以上の整数）、２の（ｎ−２）乗、…、２の０（＝ｎ−ｎ）乗のｎ個のサブフィールドＳＦｎ、ＳＦ（ｎ−１）、…、ＳＦ１と、前記サブフィールドＳＦ１に隣接して配置された輝度の相対比が２の０乗のサブフィールドＳＦ１ａとからなり、前記急速動画補正手段は、入力映像信号の輝度レベルに応じてサブフィールドＳＦ１ａを除いたｎ個のサブフィールドＳＦｎ〜ＳＦ１のうちの対応したサブフィールドの発光を選択するとともに、検出した動きベクトルの大きさに応じて入力映像信号の各フレームのｎ個のサブフィールドＳＦｎ〜ＳＦ１の表示位置を補正してなり、前記緩速動画補正手段は、入力映像信号の輝度レベルが「２の（ｎ−１）乗−１」から「２の（ｎ−１）乗」へ変化した後の輝度レベル「２の（ｎ−１）乗」についてのみ、サブフィールドＳＦ（ｎ−１）、…、ＳＦ１、ＳＦ１ａの発光を選択し、前記以外の輝度レベルについては、サブフィールドＳＦ１ａを除いたｎ個のサブフィールドＳＦｎ〜ＳＦ１のうちの対応したサブフィールドの発光を選択してなることを特徴とするディスプレイ装置の動画補正方法。
【請求項２】
１フレームを複数のサブフィールドに時分割し、入力映像信号の輝度レベルに対応したサブフィールドを発光して多階調画像を表示するディスプレイ装置において、前記入力映像信号に基づいて１又は複数フレーム間における画素の動きベクトルを検出する動きベクトル検出部と、この検出した動きベクトルの大きさが設定値Ｓより大きいときに適した動画補正手段で前記入力映像信号を補正して出力する急速動画補正部と、前記検出した動きベクトルの大きさが設定値Ｓより小さいときに適した動画補正手段で前記入力映像信号を補正して出力する緩速動画補正部と、前記検出した動きベクトルの大きさが設定値Ｓより大きいか否かに応じて、前記急速動画補正部と緩速動画補正部の出力信号を切り替えて前記ディスプレイ装置へ出力する急速・緩速動画補正映像切替部とを具備してなり、前記１フレームは、輝度の相対比が２の（ｎ−１）乗、２の（ｎ−２）乗、…、２の０（＝ｎ−ｎ）乗のｎ個のサブフィールドＳＦｎ、ＳＦ（ｎ−１）、…、ＳＦ１と、前記サブフィールドＳＦ１に隣接して配置された輝度の相対比が２の０乗のサブフィールドＳＦ１ａとからなり、前記急速動画補正部は、入力映像信号の輝度レベルに応じてサブフィールドＳＦ１ａを除いたｎ個のサブフィールドＳＦｎ〜ＳＦ１のうちの対応したサブフィールドの発光を選択するとともに、動き検出部で検出した動きベクトルの大きさに応じて入力映像信号の各フレームのｎ個のサブフィールドＳＦｎ〜ＳＦ１の表示位置を補正してなり、前記緩速動画補正部は、入力映像信号の輝度レベルが「２の（ｎ−１）乗−１」から「２の（ｎ−１）乗」へ変化した後の輝度レベル「２の（ｎ−１）乗」についてのみ、サブフィールドＳＦ（ｎ−１）、…、ＳＦ１、ＳＦ１ａの発光を選択し、前記以外の輝度レベルについては、サブフィールドＳＦ１ａを除いたｎ個のサブフィールドＳＦｎ〜ＳＦ１のうちの対応したサブフィールドの発光を選択してなることを特徴とするディスプレイ装置の動画補正回路。
【発明の詳細な説明】
【０００１】
【発明の属する技術分野】
本発明は、１フレームを複数のサブフィールド（又はサブフレーム）に時分割し、入力映像信号の輝度レベルに対応したサブフィールドを発光して多階調画像を表示するディスプレイ装置の動画補正方法及び動画補正回路に関するものである。
【０００２】
【従来の技術】
薄型、軽量のディスプレイ装置として、ＰＤＰ（プラズマディスプレイ）やＬＣＤ（液晶ディスプレイ）が注目されている。このＰＤＰの駆動方式は、従来のＣＲＴ駆動方式とは全く異なっており、ディジタル化された入力映像信号による直接駆動方式である。したがって、パネル面から発光される輝度階調は、扱う信号のビット数によって定まる。
【０００３】
ＰＤＰは、基本的特性の異なるＡＣ型とＤＣ型の２方式に分けられる。ＡＣ型ＰＤＰでは、輝度と寿命については十分な特性が得られているが階調表示に関しては、試作レベルで最大６４階調表示までの報告しかなかったが、アドレス・表示分離型駆動法（ＡＤＳサブフィールド法）による将来の２５６階調の手法が提案されている。
この方法に使用されるＰＤＰの駆動シーケンスと駆動波形が図７（ａ）（ｂ）に示される。
【０００４】
図７（ａ）において、例えば、８ビット、２５６階調の場合、１フレームは、輝度の相対比が１、２、４、８、１６、３２、６４、１２８の８個のサブフィールドＳＦ１、ＳＦ２、ＳＦ３、ＳＦ４、ＳＦ５、ＳＦ６、ＳＦ７、ＳＦ８で構成され、８画面の輝度の組み合わせで２５６階調の表示を行うものとする。
【０００５】
図７（ｂ）において、それぞれのサブフィールドは、リフレッシュした１画面分のデータの書込みを行うアドレス期間とそのサブフィールドの輝度レベルを決めるサスティン期間で構成される。アドレス期間では、最初全画面同時に各ピクセルに初期的に壁電荷が形成され、その後サスティンパルスが全画面に与えられ表示を行う。サブフィールドの明るさはサスティンパルスの数に比例し、所定の輝度に設定される。このようにして２５６階調表示が実現される。
【０００６】
【発明が解決しようとする課題】
上述のようなアドレス・表示分離型駆動方式のディスプレイ装置で動画を表示する場合、入力映像信号（原信号）がフレーム毎（フィールド毎）にサンプリングされた離散信号であるため、動画の移動方向に視覚的な表示ずれが広がって画質が低下したり、原信号と一致しないレベルが存在して画質が低下するという問題が存在する。このような問題を解決するための動画補正方法は、従来つぎのように行われていた。すなわち、１又は複数フレーム間における画素（例えば動画素）の動きが急速の場合も緩速の場合も、予め決めた一定の動画補正手段で入力映像信号の補正を行っていた。
【０００７】
しかしながら、上述の従来例では、速い動きの動画部分（急速動画部分）に対しても、遅い動きの動画部分（緩速動画部分）に対しても同一の動画補正手段で動画補正を行っていたので、急速動画部分に対する動画補正が最適となるようにした場合には緩速動画部分に対する動画補正が最適でなくなり、緩速動画部分に対する動画補正が最適となるようにした場合には急速動画部分に対する動画補正が最適でなくなるという問題点があった。
【０００８】
本発明は、上述の問題点に鑑みてなされたもので、１フレームを複数のサブフィールドに時分割し、入力映像信号の輝度レベルに対応したサブフィールドを発光して多階調画像を表示するディスプレイ装置において、急速動画部分と緩速動画部分のいずれの動画部分についても最適な動画補正を行うことのできる動画補正方法及び動画補正回路を提供することを目的とする。
【０００９】
【課題を解決するための手段】
請求項１の発明による動画補正方法は、１フレームを複数のサブフィールドに時分割し、入力映像信号の輝度レベルに対応したサブフィールドを発光して多階調画像を表示するディスプレイ装置において、入力映像信号に基づいて１又は複数フレーム間における画素の動きベクトルを検出し、この検出した動きベクトルの大きさが設定値Ｓより大きいか否かに応じて、入力映像信号を急速動画補正手段で補正した信号と入力映像信号を緩速動画補正手段で補正した信号とを切り替えてディスプレイ装置へ出力してなる。
【００１０】
そのため、入力映像信号に基づいて検出した動きベクトルの大きさが設定値Ｓより大きいときには、入力映像信号を急速動画補正手段で補正してディスプレイ装置へ出力し、設定値Ｓより小さいときには入力映像信号を緩速動画補正手段で補正してディスプレイ装置へ出力するので、ディスプレイ装置で表示される映像の急速動画部分についても緩速動画部分についても最適な動画補正を行うことができる。
【００１１】
また、請求項１の発明は、１フレームが、輝度の相対比が２の（ｎ−１）乗（ｎは２以上の整数）、２の（ｎ−２）乗、…、２の０（＝ｎ−ｎ）乗のｎ個のサブフィールドＳＦｎ、ＳＦ（ｎ−１）、…、ＳＦ１と、サブフィールドＳＦ１に隣接して配置された輝度の相対比が２の０乗のサブフィールドＳＦ１ａとからなり、急速動画補正手段が、入力映像信号の輝度レベルに応じてサブフィールドＳＦ１ａを除いたｎ個のサブフィールドＳＦｎ〜ＳＦ１のうちの対応したサブフィールドの発光を選択するとともに、検出した動きベクトルの大きさに応じて入力映像信号の各フレームのｎ個のサブフィールドＳＦｎ〜ＳＦ１の表示位置を補正してなり、緩速動画補正手段が、入力映像信号の輝度レベルが「２の（ｎ−１）乗−１」から「２の（ｎ−１）乗」へ変化した後の輝度レベル「２の（ｎ−１）乗」についてのみ、サブフィールドＳＦ（ｎ−１）、…、ＳＦ１、ＳＦ１ａの発光を選択し、前記以外の輝度レベルについては、サブフィールドＳＦ１ａを除いたｎ個のサブフィールドＳＦｎ〜ＳＦ１のうちの対応したサブフィールドの発光を選択する。
【００１２】
このため、検出した動きベクトルの大きさが設定値Ｓより大きいときには、急速動画補正手段によって動画を見る人間の眼の軌跡上にサブフィールドＳＦｎ〜ＳＦ１の表示位置を乗せることができる。また、検出した動きベクトルの大きさが設定値Ｓより小さいときには、緩速動画補正手段によって、輝度レベルが「２の（ｎ−１）乗−１」（例えば、ｎ＝４の場合は７）から「２の（ｎ−１）乗」（例えば８）へ僅かに変化した後の輝度レベル「２の（ｎ−１）乗」（例えば８）について、サブフィールドＳＦ（ｎ−１）〜ＳＦ１及びＳＦ１ａ（例えば、ＳＦ３、ＳＦ２、ＳＦ１及びＳＦ１ａ）の発光を選択し、輝度の大きな変化をなくすことができる。
【００１３】
請求項２の発明による動画補正回路は、１フレームを複数のサブフィールドに時分割し、入力映像信号の輝度レベルに対応したサブフィールドを発光して多階調画像を表示するディスプレイ装置において、入力映像信号に基づいて１又は複数フレーム間における画素の動きベクトルを検出する動きベクトル検出部と、この動きベクトル検出部で検出した動きベクトルの大きさが設定値Ｓより大きいときに適した動画補正手段で入力映像信号を補正して出力する急速動画補正部と、動きベクトル検出部で検出した動きベクトルの大きさが設定値Ｓより小さいときに適した動画補正手段で入力映像信号を補正して出力する緩速動画補正部と、動きベクトル検出部で検出した動きベクトルの大きさが設定値Ｓより大きいか否かに応じて、急速動画補正部の出力信号と緩速動画補正部の出力信号とを切り替えてディスプレイ装置へ出力する急速・緩速動画補正映像切替部とを具備してなる。
【００１４】
そのため、急速・緩速動画補正映像切替部は、検出した動きベクトルの大きさが設定値Ｓより大きいときには急速動画補正部で補正された入力映像信号をディスプレイ装置へ出力し、検出した動きベクトルの大きさが設定値Ｓより小さいときには緩速動画補正部で補正された入力映像信号をディスプレイ装置へ出力するので、ディスプレイ装置で表示される映像の急速動画部分についても緩速動画部分についても最適な動画補正を行うことができる。
【００１５】
また、請求項２の発明は、１フレームが、輝度の相対比が２の（ｎ−１）乗、２の（ｎ−２）乗、…、２の０（＝ｎ−ｎ）乗のｎ個のサブフィールドＳＦｎ、ＳＦ（ｎ−１）、…、ＳＦ１と、サブフィールドＳＦ１に隣接して配置された輝度の相対比が２の０乗のサブフィールドＳＦ１ａとからなり、急速動画補正部が、入力映像信号の輝度レベルに応じてサブフィールドＳＦ１ａを除いたｎ個のサブフィールドＳＦｎ〜ＳＦ１のうちの対応したサブフィールドの発光を選択するとともに、動き検出部で検出した動きベクトルの大きさに応じて入力映像信号の各フレームのｎ個のサブフィールドＳＦｎ〜ＳＦ１の表示位置を補正してなり、緩速動画補正部が、入力映像信号の輝度レベルが「２の（ｎ−１）乗−１」から「２の（ｎ−１）乗」へ変化した後の輝度レベル「２の（ｎ−１）乗」についてのみ、サブフィールドＳＦ（ｎ−１）、…、ＳＦ１、ＳＦ１ａの発光を選択し、前記以外の輝度レベルについては、サブフィールドＳＦ１ａを除いたｎ個のサブフィールドＳＦｎ〜ＳＦ１のうちの対応したサブフィールドの発光を選択する。
【００１６】
このため、検出した動きベクトルの大きさが設定値Ｓより大きいときには、急速動画補正部によって動画を見る人間の眼の軌跡上にサブフィールドＳＦｎ〜ＳＦ１の表示位置を乗せることができる。また、検出した動きベクトルの大きさが設定値Ｓより小さいときには、緩速動画補正部によって、輝度レベルが「２の（ｎ−１）乗−１」（例えば、ｎ＝４の場合は７）から「２の（ｎ−１）乗」（例えば８）へ僅かに変化した後の輝度レベル「２の（ｎ−１）乗」（例えば８）について、サブフィールドＳＦ（ｎ−１）〜ＳＦ１及びＳＦ１ａ（例えば、ＳＦ３、ＳＦ２、ＳＦ１及びＳＦ１ａ）の発光を選択し、輝度の大きな変化をなくすことができる。
【００１７】
【発明の実施の形態】
以下、本発明の実施の形態例を図面に基づき説明する。
図１は本発明によるディスプレイ装置の動画補正方法を実施する動画補正回路の一実施形態例を示すものである。
図１において、１０は動きベクトル検出部で、この動きベクトル検出部１０は入力端子１２に入力した映像信号（例えばｎビットのディジタル信号）に基づいて１又は複数フレーム間における画素（例えば動画素）の動きベクトル（移動方向と移動量）を検出して出力するように構成されている。例えば、現フレームと前フレームの映像信号に基づいて、ＰＤＰにおける現フレーム画面の動画素の動きベクトルを検出して出力する。
【００１８】
１４は急速動画補正部で、この急速動画補正部１４は、前記動きベクトル検出部１０で検出した動きベクトルが設定値Ｓ（例えば２ドット／フレーム）より大きいとき（例えば、Ｓ以上のとき）に適した動画補正手段で、前記入力端子１２に入力した映像信号を補正して出力するようにように構成されている。
１６は緩速動画補正部で、この緩速動画補正部１６は、前記動きベクトル検出部１０で検出した動きベクトルが設定値Ｓより小さいとき（例えば、Ｓ未満のとき）に適した動画補正手段で、前記入力端子１２に入力した映像信号を補正して出力するようにように構成されている。
１８は急速・緩速動画補正映像切替部で、この急速・緩速動画補正映像切替部１８は、前記動きベクトル検出部１０で検出した動きベクトルが設定値Ｓより大きいか否かに応じて、前記急速動画補正部１４の出力信号と前記緩速動画補正部１６の出力信号とを切り替えて出力端子２０へ出力するように構成されている。
【００１９】
前記急速動画補正部１４は、例えば、本出願人が既に出願した表示装置の動画補正方法及び動画補正装置（特願平７−３１７５０８号）内の対応する構成とほぼ同様に構成され、前記緩速動画補正部１６は、例えば、本出願人が既に出願したディスプレイ装置の駆動方法（特願平７−１０８１９１号）内の対応する構成とほぼ同様に構成されている。
【００２０】
前記急速動画補正部１４は、前記入力端子１２に入力した映像信号の輝度レベルに応じてサブフィールドＳＦ１ａを除いたｎ個のサブフィールドＳＦｎ〜ＳＦ１のうちの対応したサブフィールドの発光を選択するとともに、前記動きベクトル検出部１０で検出した動きベクトルの大きさに応じて入力映像信号の各フレームのサブフィールドＳＦｎ〜ＳＦ１の表示位置を補正した信号を出力するように構成されている。
【００２１】
前記緩速動画補正部１６は、前記入力端子１２に入力した映像信号の輝度レベルが「２の（ｎ−１）乗−１」から「２の（ｎ−１）乗」へ変化した後の輝度レベル「２の（ｎ−１）乗」についてのみ、サブフィールドＳＦ（ｎ−１）、ＳＦ（ｎ−２）、…、ＳＦ１、ＳＦ１ａの発光を選択し、前記以外の輝度レベルについては、サブフィールドＳＦ１ａを除いたｎ個のサブフィールドＳＦｎ〜ＳＦ１のうちの対応したサブフィールドの発光を選択した信号を出力するように構成されている。
【００２２】
つぎに、図１の作用を図２〜び図６を併用して説明する。
説明の便宜上、図２に示すように、サブフィールド法の駆動シーケンスがｎ＝４（５ビット）の場合について説明する。すなわち、１フレームが、輝度の相対比が２の３乗、２の２乗、２の１乗、２の０乗の４個（ｎ＝４の場合）のサブフィールドＳＦ４、ＳＦ３、ＳＦ２、ＳＦ１と、サブフィールドＳＦ１に隣接して配置された輝度の相対比が２の０乗のサブフィールドＳＦ１ａとで構成されているものとする。
【００２３】
（１）まず、図３及び図４を併用して、動きベクトル検出部１０で検出した動きベクトルの大きさが設定値Ｓ（例えば２ドット／フレーム）より大きい場合の作用について説明する。
説明の便宜上、輝度レベル「１５」の入力映像信号に係る動画素が１フレームに５ドット（画素）の割合で所定方向へ移動しているものとすると、動きベクトル検出部１０で検出した動きベクトルが設定値Ｓより大きいので、急速・緩速動画補正映像切替部１８により急速動画補正部１４から出力した信号が出力端子２０を介してディスプレイ装置（例えばＰＤＰ）へ供給される。
【００２４】
（２）前記（１）の急速動画補正部１４から出力する信号は、図３に示すように、サブフィールドＳＦ４〜ＳＦ１の全てを発光するとともに、検出した動きベクトル「５ドット／フレーム」に応じて各フレームの各サブフィールドＳＦ４〜ＳＦ１の表示位置を斜めの実線ａ、ｂに乗るように補正した信号となる。すなわち、サブフィールドＳＦ４については表示位置を０ドット移動し（すなわち移動させずに元の位置のままとし）、サブフィールドＳＦ３については表示位置を２ドット移動し、サブフィールドＳＦ２、ＳＦ１については表示位置をそれぞれ３、４ドット移動するための信号となる。
【００２５】
このため、表示ずれの最大ずれ幅ｚｍを、表示位置補正をしない場合の最大ずれ幅ＺＭ（図４）の半分以下にすることができ、モノクロ表示の場合の「ぼやけ」やカラー表示の場合の「色ずれ」を抑制できる。なお、図３において、斜めの実線ａ、ｂは５ドット／フレームで移動する動画素を眼で追う奇跡を表し、斜めの点線ｃ、ｄは８ドット／フレームで移動する動画素を眼で追う奇跡を表し、サブフィールドＳＦ１ａの表示を省略している。また、図４は動画補正しない場合の比較例を表している。
【００２６】
（３）つぎに、図５及び図６を併用して、動きベクトル検出部１０で検出した動きベクトルの大きさが設定値Ｓ（例えば２ドット／フレーム）より小さい場合の作用について説明する。
この場合、動きベクトル検出部１０で検出した動きベクトルが設定値Ｓより小さいので、急速・緩速動画補正映像切替部１８により緩速動画補正部１６から出力した信号が出力端子２０を介してディスプレイ装置（例えばＰＤＰ）へ供給される。
【００２７】
（３ａ）まず、誤差拡散処理などによって、輝度レベルが「７」から「８」へ変化したときの作用について説明する。
前記（３）の緩速動画補正部１６から出力する信号は、輝度レベル「７」については、図５の変化点の左側に示すようにサブフィールドＳＦ３、ＳＦ２、ＳＦ１を発光する信号となるが、輝度レベルが「７」から「８」へ変化した後の輝度レベル「８」については、同図の変化点の右側に示すように、サブフィールドＳＦ３、ＳＦ２、ＳＦ１及びＳＦ１ａを発光する信号となる。
【００２８】
このため、輝度レベルが「７」から「８」へ変化する点では、ビット値が「０１１１０」から「０１１１１」へ変化して点灯が連続しないので、原信号の変化と不一致となるような輝度の大きな変化がなく、画質が低下しない。これに対して、図６（ａ）に示すように１フレームを４個のサブフィールドＳＦ４〜ＳＦ１のみで構成しＳＦ１ａを付加しない場合には、輝度レベルが「７」から「８」へ変化する点で、同図（ｂ）に示すようにビット値が「０１１１」から「１０００」へ変化して点灯が連続し、変化点の輝度が輝度レベル「７」や「８」の約２倍に達して原信号の変化と一致しないレベルが存在するという問題がある。
【００２９】
（３ｂ）つぎに、前記（３ａ）以外の場合について説明する。
この場合には、前記（３）の緩速動画補正部１６から出力する信号は、図２のサブフィールドＳＦ１ａを除いた４個のサブフィールドのうちの、輝度レベルに対応したサブフィールドの発光を選択した信号となる。例えば、入力映像信号の輝度レベルが「８」のときにはサブフィールドＳＦ４の発光を、「７」のときにはサブフィールドＳＦ３、ＳＦ２及びＳＦ１の発光を、「３」のときにはサブフィールドＳＦ２及びＳＦ１の発光を、輝度レベルが「７」から「８」へ変化した後の輝度レベル「８」のときにはサブフィールドＳＦ４の発光を、それぞれ選択した信号となる。
【００３０】
前記実施形態例では、１フレームがＳＦ４〜ＳＦ１の４個のサブフィールド（ｎ＝４）とＳＦ１に隣接するＳＦ１ａの合計５個（５ビット）のサブフィールドで構成されている１６階調表示の場合について説明したが、本発明はこれに限るものでなく、１フレームがＳＦｎ〜ＳＦ１のｎ個のサブフィールド（ｎは２以上の整数）とＳＦ１に隣接するＳＦ１ａの合計ｎ＋１個のサブフィールドで構成されている場合についても利用することができ、又はサブフィールドＳＦ１ａを省略したものについても利用することができる。
【００３１】
例えば、１フレームがＳＦ５〜ＳＦ１の５個のサブフィールド（ｎ＝５）とＳＦ１に隣接するＳＦ１ａの合計６個（６ビット）のサブフィールドで構成されている３２階調表示の場合についても利用することができる。この場合、輝度レベルが「１５」から「１６」へ変化した後の輝度レベル「１６」についてのみ、前記（３）の緩速動画補正部１６から出力する信号は、サブフィールドＳＦ４、ＳＦ３、ＳＦ２、ＳＦ１及びＳＦ１ａを発光する信号となる。このため、輝度レベルが「１５」から「１６」へ変化する点では、ビット値が「０１１１１０」から「０１１１１」へ変化して点灯が連続しないので、原信号の変化と不一致となるような輝度の大きな変化がなく、画質が低下しない。
【００３２】
前記実施形態例では、急速動画補正部は、入力映像信号の輝度レベルに応じてサブフィールドＳＦ１ａを除いたｎ個のサブフィールドＳＦｎ〜ＳＦ１のうちの対応したサブフィールドの発光を選択するとともに、動き検出部で検出した動きベクトルの大きさに応じて入力映像信号の各フレームのｎ個のサブフィールドＳＦｎ〜ＳＦ１の表示位置を補正するように構成したが、本発明はこれに限るものでなく、動きベクトル検出部で検出した動きベクトルの大きさが設定値Ｓより大きいときに適した動画補正手段で入力映像信号を補正して出力するものであればよい。
【００３３】
前記実施形態例では、緩速動画補正部は、入力映像信号の輝度レベルが「２の（ｎ−１）乗−１」から「２の（ｎ−１）乗」へ変化した後の輝度レベル「２の（ｎ−１）乗」についてのみ、サブフィールドＳＦ（ｎ−１）、…、ＳＦ１、ＳＦ１ａの発光を選択し、前記以外の輝度レベルについては、サブフィールドＳＦ１ａを除いたｎ個のサブフィールドＳＦｎ〜ＳＦ１のうちの対応したサブフィールドの発光を選択するようにしたが、本発明はこれに限るものでなく、動きベクトル検出部で検出した動きベクトルの大きさが設定値Ｓより小さいときに適した動画補正手段で入力映像信号を補正して出力するものであればよい。
【００３４】
前記実施形態例では、ディスプレイ装置がＰＤＰの場合について説明したが、本発明はこれに限るものでなく、ディジタルディスプレイ装置（例えばＬＣＤ）の場合について利用することができる。
【００３５】
【発明の効果】
請求項１、２の発明による動画補正方法、動画補正回路は、１フレームを複数のサブフィールドに時分割し、入力映像信号の輝度レベルに対応したサブフィールドを発光して多階調画像を表示するディスプレイ装置において、入力映像信号に基づいて１又は複数フレーム間における画素の動きベクトルを検出し、この検出した動きベクトルの大きさが設定値Ｓより大きいか否かに応じて、入力映像信号を急速動画補正手段で補正した信号と入力映像信号を緩速動画補正手段で補正した信号とを切り替えてディスプレイ装置へ出力するように構成したので、ディスプレイ装置で表示される映像の急速動画部分についても緩速動画部分についても最適な動画補正を行うことができる。
【００３６】
また、請求項１、２の発明による動画補正方法、動画補正回路は、１フレームをｎ個のサブフィールドＳＦｎ〜ＳＦ１とＳＦ１ａとで構成し、急速動画補正手段によって、入力映像信号の輝度レベルに応じてサブフィールドＳＦｎ〜ＳＦ１のうちの対応したサブフィールドの発光を選択するとともに、検出した動きベクトルの大きさに応じて入力映像信号の各フレームのｎ個のサブフィールドＳＦｎ〜ＳＦ１の表示位置を補正し、緩速動画補正手段によって、入力映像信号の輝度レベルが「２の（ｎ−１）乗−１」から「２の（ｎ−１）乗」へ変化した後の輝度レベル「２の（ｎ−１）乗」についてのみ、サブフィールドＳＦ１ａを含むサブフィールドの発光を選択し、それ以外の輝度レベルについては、サブフィールドＳＦ１ａを除いたサブフィールドの発光を選択するように構成した。
【００３７】
このため、検出した動きベクトルの大きさが設定値Ｓより大きいときには、急速動画補正手段によって動画を見る人間の眼の軌跡上にサブフィールドＳＦｎ〜ＳＦ１の表示位置を乗せることができる。また、検出した動きベクトルの大きさが設定値Ｓより小さいときには、緩速動画補正手段によって、輝度レベルが「２の（ｎ−１）乗−１」（例えば、ｎ＝４の場合は７）から「２の（ｎ−１）乗」（例えば８）へ僅かに変化したときの輝度の大きな変化をなくし（すなわち原信号の変化と不一致となるような輝度の大きな変化がをなくして、画質が低下するのを抑制できる。
【図面の簡単な説明】
【図１】本発明によるディスプレイ装置の動画補正方法を実施する回路の一実施形態例を示すブロック図である。
【図２】図１の作用の説明を容易にするために、ｎ＝４（５ビット）（１６階調表示）とした場合のサブフィールド法による駆動シーケンスの説明図である。
【図３】図１の急速動画補正部による動画補正作用を概念的に説明する図である。
【図４】図３に対する比較例を示すもので、動画補正手段を具備しない場合の作用を概念的に説明する図である。
【図５】図１の緩速動画補正部による動画補正作用を概念的に説明する図である。
【図６】図５に対する比較例を示すもので、（ａ）は１６階調表示の場合のサブフィールド法による駆動シーケンスの説明図、（ｂ）は動画補正手段を具備しない場合の作用を概念的に説明する図である。
【図７】サブフィールド点灯方式を説明するもので、（ａ）は２５６階調の手法における駆動シーケンスの説明図、（ｂ）は駆動波形図である。
【符号の説明】
１０…動きベクトル検出部、  １２…入力端子、  １４…急速動画補正部、  １６…緩速動画補正部、  １８…急速・緩速動画補正映像切替部、  ２０…出力端子、  ＰＤＰ…プラズマディスプレイ（ディスプレイ装置の一例）、  Ｓ…設定値、  ＳＦｎ〜ＳＦ１、ＳＦ１ａ…サブフィールド。
【図１】
0003758294.tif 000002
【図２】
0003758294.tif 000003
【図３】
0003758294.tif 000004
【図４】
0003758294.tif 000005
【図５】
0003758294.tif 000006
【図６】
0003758294.tif 000007
【図７】
0003758294.tif 000008